【手続補正書】
【提出日】平成18年8月22日(2006.8.22)
【手続補正１】
【補正対象書類名】明細書
【補正対象項目名】特許請求の範囲
【補正方法】変更
【補正の内容】
【特許請求の範囲】
【請求項１】
加圧された器又は容器に嵌められ、
前記器又は容器に存在する流体が圧力の下に注出されるように出来ており、
入口を定める胴体と、吐出口と、流体が前記入口から前記吐出口に流れる内部流体流路とを有するノズル装置であって、
前記胴体が、動作時に前記装置が取り付けられた加圧された器又は容器の吐出弁を係合及び開放し、それにより加圧された器又は容器に存在する流体が前記ノズル装置の中に放出されるように出来ている作動手段を備えるようなノズル装置であり、
前記ノズル装置の前記胴体が前記流体流路の少なくとも一部を定める弾性変形可能な壁部材を備え、
前記弾性変形可能な壁が、流体が前記作動手段の動作に応じて前記ノズル装置を通って流されたときに、前記壁が、前記流路の前記部分が閉じられる初期の弾性付勢された形状から膨張した形状に弾性変形を行い、それにより流体が前記流路の前記部分を通って流れかつ前記吐出口を通って注出されるように形作られ、
前記壁が更に、前記作動手段の動作が止んだときに、初期の弾性付勢された形状に戻り、それにより流路の前記部分に残っている如何なる流体も排出されるように形作られる
ことを特徴とするノズル装置。
【請求項２】
前記吐出口が前記胴体の弾性変形可能な壁により少なくとも部分的に定められ、
前記弾性変形可能な壁が、流体が前記作動手段の動作に応じて前記ノズル装置を通って流されるときに、前記壁が、前記吐出口が閉じられる初期の弾性付勢された形状から膨張した形状に弾性変形を行い、それにより流体が前記吐出口を通って流れるように形作られ、
前記壁が更に、前記作動手段の動作が止んだときに、初期の弾性付勢された形状に戻り、それにより前記吐出口に残っている如何なる流体も排出されるように形作られる
ことを特徴とする請求項１に記載のノズル装置。
【請求項３】
前記吐出口が前記流路の前記部分の開放端であり、前記吐出口を定める前記弾性変形可能な壁が、前記流体流路の前記部分を定める前記弾性変形可能な壁の端部であることを特徴とする請求項２に記載のノズル装置。
【請求項４】
前記弾性変形可能な壁の弾性がその長さに沿って均一であることを特徴とする前記請求項の何れか一つに記載のノズル装置。
【請求項５】
前記流体流路の内面を定める前記弾性変形可能な壁が、前記作動装置の動作が止みかつ前記弾性変形可能な壁が初期の弾性付勢された形状に戻ったときに、前記流路の前記部分に残っている如何なる流体も前記吐出口を通って排出されるように出来ていることを特徴とする請求項１乃至４の何れか一つに記載のノズル装置。
【請求項６】
前記弾性変形可能な壁の弾性がその長さに沿って変化することを特徴とする請求項５に記載のノズル装置。
【請求項７】
前記弾性変形可能な壁の弾性又は弾力性が前記吐出口から離れた位置において前記吐出口近傍の位置におけるよりも大きく、それにより、前記作動装置の動作が止んだときに、前記弾性変形可能な壁が、好ましくは前記吐出口から更に離れた位置において萎んだ形状に弾性的に戻り、それにより前記内部流路の前記部分に残っている如何なる流体も前記吐出口に向って流れかつそれを通って排出されることを特徴とする請求項５又は６に記載のノズル装置。
【請求項８】
前記弾性変形可能な壁が、前記流体流路の長さの全て、又は実質的に全てに対して伸びる内面を定め、前記弾性変形可能な壁の弾性が前記流路の入口端部において前記吐出後端部近傍の位置におけるよりも大きく、それにより、前記作動装置の動作が止んだときに、前記弾性変形可能な壁が、好ましくは入口において初期の弾性付勢された形状に戻り、それにより、前記流路に残っている如何なる流体も前記吐出口に向って流れかつそれを通って排出されることを特徴とする請求項８に記載のノズル装置。
【請求項９】
前記弾性変形可能な壁の弾性又は弾力性が前記吐出口からの距離の増加に比例して増加することを特徴とする請求項７又は８に記載のノズル装置。
【請求項１０】
前記胴体の二つ以上の壁が内部流体流路を定め、その少なくとも一つが弾性変形可能であり、初期の弾性付勢された形状で、対向する壁に弾性付勢されて閉じられた流路を定めることを特徴とする前記請求項の何れか一つに記載のノズル装置。
【請求項１１】
前記内部流体流路が前記胴体の二つの壁により定められ、前記壁の少なくとも一つが弾性的に変形可能でありかつ初期の弾性付勢された形状で、対向する壁により形成される表面に対して弾性付勢される前記流路の内面を提供し、閉じられた流路を定めることを特徴とする請求項１０に記載のノズル装置。
【請求項１２】
前記壁の一つのみが弾性変形可能であり、かつ弾性付勢されて、弾性付勢された形状で、対向する壁に当接することを特徴とする請求項１１に記載のノズル装置。
【請求項１３】
第１の前記当接面がその当接面内に形成された溝を備え、それが前記胴体により定められる入口から前記当接面の縁まで伸びており、前記溝が前記流体流路の第１の壁を形成しかつ第２の前記当接面の当接面に形成された対応する弾性変形可能な隆起部を受容するように出来ており、前記隆起部が、前記二つの当接面が共に接触して前記初期の弾性付勢された形状を形成するときに、前記溝の表面に対して弾性付勢され、前記溝が更に、前記溝から離れるように膨張した形状に変形するように形作られ、それにより、前記作動手段が動作されたときに開放流路が定められ、流体が圧力の下に前記装置を通って流されることを特徴とする請求項１に記載のノズル装置。
【請求項１４】
当接面の縁にある流体流路の末端が前記吐出口を定めることを特徴とする請求項６に記載のノズル装置。
【請求項１５】
前記二つの部分が着脱自在に共に接続されることを特徴とする請求項１乃至１５の何れか一つに記載のノズル装置。
【請求項１６】
前記二つの部分が恒久的に共に接続されることを特徴とする請求項１乃至１５の何れか一つに記載のノズル装置。
【請求項１７】
前記部分が同じ材料から出来ていることを特徴とする請求項１乃至１７の何れか一つに記載のノズル装置。
【請求項１８】
前記部分が柔剛性プラスチック材料から出来ていることを特徴とする請求項１７に記載のノズル装置。
【請求項１９】
前記部分の一つが剛性プラスチック材料で出来ており、前記部分の他方が弾性変形可能な材料で出来ていることを特徴とする請求項１乃至１６の何れか一つに記載のノズル装置。
【請求項２０】
前記当接面の間に密封手段が配設されて前記内部流体流路から漏れる如何なる流体も前記二つの対向する当接面の間にある前記ノズル装置から染み出さないようにすることを特徴とする請求項１乃至１９の何れか一つに記載のノズル装置。
【請求項２１】
前記流体流路内に密封手段が配設され、実質的に気密のシールを提供することを特徴とする前記請求項の何れか一つに記載のノズル装置。
【請求項２２】
前記シールが、前記弾性変形可能な壁の上にありかつ前記内部流体流路の幅を横切って伸びる溝を備え、前記溝が、前記弾性変形可能な壁がその初期の弾性付勢された形状をしているときに、対向する壁に形成された隆起部材を受容しかつそれとの密封係合を形成するように出来ていることを特徴とする請求項２１に記載のノズル配置。
【請求項２３】
前記シールが、前記弾性変形可能な壁の上にありかつ前記内部流体流路の幅を横切って伸びる隆起部を備え、前記隆起部が、前記弾性変形可能な壁がその初期の弾性付勢された形状をしているときに、対向する壁に形成された溝部材により受容されかつそれとの密封係合を形成するように出来ていることを特徴とする請求項２１に記載のノズル装置。
【請求項２４】
前記シールが前記吐出口の近傍に配設されることを特徴とする請求項２１乃至２３の何れか一つに記載のノズル装置。
【請求項２５】
流体が使用中に前記流体流路に接近する入口が、前記ノズル装置が取り付けられるように出来ている加圧された流体が満たされた器又は容器の吐出弁に直接隣接して配設され、それにより前記吐出弁を通って注出された流体が前記流体流路に入る前に最小距離流れるように前記ノズル装置が形作られることを特徴とする前記請求項の何れか一つに記載のノズル装置。
【請求項２６】
吐出弁と、請求項１乃至２５の何れか一つに記載のノズル装置とを備える加圧された流体が満たされた器又は容器であって、使用中に前記吐出弁を通って排出された流体が前記ノズル装置を通って流れるように前記ノズル装置が前記器又は容器に嵌められることを特徴とする器又は容器。